(57)【要約】【課題】樹脂フレームを有する建具において、換気装置を容易に組み込むことができる建具を提供すること。【解決手段】建具である引違い窓１は、複数のフレーム材を溶着して構成される障子枠３０と、障子枠３０内に配置される複層ガラス３５と、換気装置５０とを備える。換気装置５０は、換気装置本体６０と、室外側アタッチメント７０と、室内側アタッチメント８０とを備える。換気装置本体６０は、上框３１に取り付けられる取付部６１と、複層ガラス３５を保持する面材保持部と、取付部６１および面材保持部間に設けられて、室内側および室外側間で空気を流通させる通気部６５とを有する。室外側アタッチメント７０は、換気装置本体６０に着脱可能に取り付けられて通気部６５の室外側開口を開閉する。室内側アタッチメント８０は、換気装置本体６０に着脱可能に取り付けられて通気部６５の室内側開口を開閉する。【選択図】図２
2019073963.tif 000002
【特許請求の範囲】
【請求項１】
複数のフレーム材を溶着して構成される建具枠と、
前記建具枠内に配置される面材と、
換気装置とを備え、
前記換気装置は、換気装置本体と、室外側アタッチメントと、室内側アタッチメントとを備え、
前記換気装置本体は、
前記複数のフレーム材のうちの少なくとも一つのフレーム材に取り付けられる取付部と、
前記面材を保持する面材保持部と、
前記取付部および面材保持部間に設けられて、室内側および室外側間で空気を流通させる通気部とを有し、
前記室外側アタッチメントは、前記換気装置本体に着脱可能に取り付けられて前記通気部の室外側開口を開閉可能に構成され、
前記室内側アタッチメントは、前記換気装置本体に着脱可能に取り付けられて前記通気部の室内側開口を開閉可能に構成される
ことを特徴とする建具。
【請求項２】
請求項１に記載の建具において、
前記換気装置本体は、前記取付部と、前記面材保持部と、前記取付部および前記面材保持部を連結する連結部とを備えて構成され、
前記連結部は、室外側連結片と、室内側連結片とを備えて構成され、前記室外側連結片および前記室内側連結片には、通気孔が形成されている
ことを特徴とする建具。
【請求項３】
請求項１または請求項２に記載の建具において、
前記複数のフレーム材は、前記面材の室内側を保持する保持片と、前記面材の室外側を保持する押縁が取り付けられる凹溝とを備え、
前記取付部は、前記凹溝に挿入される取付片と、前記保持片に当接する当接部とを備え、
前記面材保持部は、前記面材の室内側を保持する換気装置側保持片と、前記面材の室外側を保持する押縁が取り付けられる換気装置側凹溝とを備える
ことを特徴とする建具。
【請求項４】
請求項１から請求項３のいずれか一項に記載の建具において、
前記換気装置は、
前記室内側アタッチメントを覆う樹脂製のカバーを備える
ことを特徴とする建具。
【請求項５】
請求項１から請求項４のいずれか一項に記載の建具において、
前記室外側アタッチメントおよび前記室内側アタッチメントは、前記換気装置本体に対して、室内側に取り外し可能に構成されている
ことを特徴とする建具。
【発明の詳細な説明】
【技術分野】
【０００１】
本発明は、室内外を仕切る建具に関する。
【背景技術】
【０００２】
従来、枠体および障子で構成される建具において、ガラスを保持する框、例えば上框を換気框で構成した建具が知られている（例えば、特許文献１参照）。換気框は、通常、アルミ形材で構成し、他の框とねじで締結する構成が一般的である。また、特許文献１に記載したように、金属製の室外側部材と、樹脂製の室内側部材とで換気框を構成した建具においても、各框の金属製の室外側部材同士をねじで締結していた。
このような換気框は、内部に通気用の通路を形成するため、他の框に比べて見付け寸法が大きくなる。
【先行技術文献】
【特許文献】
【０００３】
【特許文献１】特許第５７３３７６２号公報
【発明の概要】
【発明が解決しようとする課題】
【０００４】
ところで、断熱性能を向上させるために、各框を樹脂製とした樹脂窓においては、上框および下框と、縦框とを溶着して組み立てるため、各框の外形を揃える必要がある。このため、上框を換気框で構成した場合、換気框以外の下框や縦框を、換気框と同じ見付け寸法にして溶着しなければならず、各框の見付け幅が大きくなり、コストが増加するとともに、意匠性が低下するという課題がある。樹脂枠を用いたＦＩＸ窓においても同じ課題が生じる。したがって、框や枠を樹脂フレームで構成した建具では、換気装置を組み込むことが困難であった。また、アルミ製のフレームを溶着して框や枠を構成する場合も、同様の課題が生じる。
さらに、換気装置では、空気が流通する換気装置内部を容易にメンテナンスできるようにすることも重要である。
本発明の目的は、フレームを有する建具において、換気装置を容易に組み込むことができ、換気装置内部も簡単にメンテナンスできる建具を提供することにある。
【課題を解決するための手段】
【０００５】
本発明の建具は、複数のフレーム材を溶着して構成される建具枠と、前記建具枠内に配置される面材と、換気装置とを備え、前記換気装置は、換気装置本体と、室外側アタッチメントと、室内側アタッチメントとを備え、前記換気装置本体は、前記複数のフレーム材のうちの少なくとも一つのフレーム材に取り付けられる取付部と、前記面材を保持する面材保持部と、前記取付部および面材保持部間に設けられて、室内側および室外側間で空気を流通させる通気部とを有し、前記室外側アタッチメントは、前記換気装置本体に着脱可能に取り付けられて前記通気部の室外側開口を開閉可能に構成され、前記室内側アタッチメントは、前記換気装置本体に着脱可能に取り付けられて前記通気部の室内側開口を開閉可能に構成されることを特徴とする。
【０００６】
本発明によれば、建具枠を構成するフレーム材に換気装置を取り付けているので、フレーム材に換気装置を組み込む必要が無い。このため、小口を突き合わせて溶着する各フレーム材の見付け幅を小さくできて、コストを低減でき、意匠性も向上できる。また、フレーム材内に換気装置を組み込まないため、フレーム材自体は従来から用いていた框や枠などを利用できる。このため、様々な窓種において換気装置を容易に組み込むことができ、コストも低減できる。
また、換気装置は、面材保持部を備えているので、他のフレーム材と同様に面材を直接保持することができ、別途、面材保持用の部材を設ける必要が無いため、部品点数も減少することができる。
さらに、換気装置の換気装置本体から室外側アタッチメントおよび室内側アタッチメントを取り外すことができるので、換気装置内部を容易に清掃でき、メンテナンス作業を効率化できる。特に、換気装置本体に、フレーム材に取り付けられる取付部と、面材を保持する面材保持部とが設けられ、室外側アタッチメントおよび室内側アタッチメントは、フレーム材への取り付けや、面材の保持には利用されない。このため、換気装置本体をフレーム材に取り付け、かつ、換気装置本体で面材を保持した状態で、各アタッチメントを着脱して換気装置内部を簡単にメンテナンスできる。
【０００７】
本発明の建具において、前記換気装置本体は、前記取付部と、前記面材保持部と、前記取付部および前記面材保持部を連結する連結部とを備えて構成され、前記連結部は、室外側連結片と、室内側連結片とを備えて構成され、前記室外側連結片および前記室内側連結片には、通気孔が形成されていることが好ましい。
本発明によれば、連結部を、室外側連結片と室内側連結片との二重の連結片で構成したので、各連結片間に空間を確保でき、一つの連結片のみで構成された場合に比べて断熱性能を向上できる。
【０００８】
本発明の建具において、前記複数のフレーム材は、前記面材の室内側を保持する保持片と、前記面材の室外側を保持する押縁が取り付けられる凹溝とを備え、前記取付部は、前記凹溝に挿入される取付片と、前記保持片に当接する当接部とを備え、前記面材保持部は、前記面材の室内側を保持する換気装置側保持片と、前記面材の室外側を保持する押縁が取り付けられる換気装置側凹溝とを備えることが好ましい。
本発明によれば、複数のフレーム材と換気装置とは、それぞれ面材の室内側を保持する保持片、換気装置側保持片と、押縁が取り付けられる凹溝、換気装置側凹溝とを備えているので、面材の保持構造を同一にすることができる。このため、押縁も共通化でき、コストを低減できる。
【０００９】
本発明の建具において、前記換気装置は、前記室内側アタッチメントを覆う樹脂製のカバーを備えることが好ましい。
本発明によれば、室内側アタッチメントをアルミニウムなどの金属製で構成した場合でも、樹脂製のカバーで被覆することができ、換気装置の室内意匠を樹脂製のフレーム材と統一感のあるものにでき、建具の室内意匠を向上でき、さらに断熱性能も向上できる。
【００１０】
本発明の建具において、前記室外側アタッチメントおよび前記室内側アタッチメントは、前記換気装置本体に対して、室内側に取り外し可能に構成されていることが好ましい。
本発明によれば、室外側アタッチメントおよび室内側アタッチメントを室内側に取り外すことができるので、作業者は、建具の室外側に移動して作業する必要が無く、換気装置内部のメンテナンスを容易に行うことができる。
【発明の効果】
【００１１】
本発明に係る建具によれば、フレームを有する建具において、換気装置を容易に組み込むことができ、換気装置内部も簡単にメンテナンスできる。
【図面の簡単な説明】
【００１２】
【図１】第１実施形態の建具である引違い窓を示す内観図。
【図２】前記引違い窓の上部を示す断面図。
【図３】前記引違い窓の換気装置を示す分解斜視図。
【図４】前記換気装置を示す拡大断面図。
【図５】前記引違い窓の障子の組立手順を示す斜視図。
【図６】第２実施形態の建具である引違い窓を示す外観図。
【図７】第２実施形態の引違い窓の上部を示す断面図。
【図８】本発明の変形例の建具である縦すべり出し窓の上部を示す断面図。
【発明を実施するための形態】
【００１３】
以下、本発明の第１実施形態を図面に基づいて説明する。
第１実施形態の引違い窓１は、図１〜３に示すように、建物の躯体５の開口部に設けられる窓枠２と、窓枠２で囲まれた内部に左右方向に引き違い可能に配置された外障子３Ａおよび内障子３Ｂとを備えている。
窓枠２は、上枠２１、下枠２２および左右の縦枠２３、２４を四周枠組みすることで構成される。上枠２１、下枠２２、縦枠２３、２４は、塩化ビニル樹脂（ＰＶＣ）等の合成樹脂製の押出形材で構成され、全長に亘って略同一の断面形状を有する。上枠２１、下枠２２、縦枠２３、２４の長手方向の端部（小口）は、前記長手方向に対して４５度の角度で切断されている。上枠２１、下枠２２、縦枠２３、２４は、各小口同士を突き合わせて溶着することで四周枠組みされている。
【００１４】
外障子３Ａおよび内障子３Ｂは、上框３１、下框３２、縦框（戸先框）３３、縦框（召合せ框）３４を枠組みした障子枠３０と、障子枠３０内に組み込まれる面材である複層ガラス３５と、換気装置５０とを備えている。
上框３１、下框３２、縦框３３、３４は、塩化ビニル樹脂（ＰＶＣ）等の合成樹脂製の押出形材で構成され、全長に亘って略同一の断面形状を有する。上框３１、下框３２、縦框３３、３４の長手方向の端部（小口）は、前記長手方向に対して４５度の角度で切断され、各小口同士を突き合わせて溶着することで障子枠３０が構成されている。したがって、上框３１、下框３２、縦框３３、３４が、建具枠である障子枠３０を構成するフレーム材である。
【００１５】
換気装置５０は、上框３１の下面つまり障子枠３０の内周面に取り付けられている。
複層ガラス３５は、下框３２および縦框３３、３４と、換気装置５０とで囲まれた部分に配置されている。
【００１６】
ここで、図１、２に示すように、引違い窓１の上下方向をＹ軸とし、外障子３Ａ、内障子３Ｂのスライド移動方向をＸ軸とし、Ｘ軸およびＹ軸に直交する方向をＺ軸とすると、窓枠２（上枠２１、下枠２２、縦枠２３、２４）や、外障子３Ａ、内障子３Ｂの見込み方向は、Ｚ軸方向つまり引違い窓１の室内外方向（奥行き方向）である。また、上枠２１、下枠２２、上框３１、下框３２の見付け方向は、Ｙ軸方向つまり上下方向であり、縦枠２３、２４、縦框３３、３４の見付け方向は、Ｘ軸方向つまり外障子３Ａ、内障子３Ｂの移動方向（左右方向）である。
【００１７】
上框３１は、図２に示すように、本体部３１１と、室外片部３１２および室内片部３１３と、保持片３１４と、凹溝３１５とを備える。
本体部３１１は、複数の中空部（ホロー部）を備え、全体として略角筒状に形成されている。本体部３１１において、最も大きな中空部には、補強材３６が配置されている。
室外片部３１２および室内片部３１３は、本体部３１１の上面（外周面）の室外側端部および室内側端部から上方（外周側）に突設されている。保持片３１４は、本体部３１１の下面（内周面）の室内側端部から下方（内周側）に突設されている。凹溝３１５は、本体部３１１の下面（内周面）の室外側端部に形成されている。
【００１８】
下框３２および縦框（戸先框）３３は、上框３１と同一の構成とされているため、説明を省略する。
縦框（召合せ框）３４は、図示を略すが、上框３１および下框３２の小口と突き合わせて溶着可能なように、小口の外形が上框３１および下框３２の小口の外形と一致するように構成されている。また、縦框３４において、複層ガラス３５を保持する内周側には、上框３１等と同様に、保持片や凹溝が形成されている。一方、縦框３４の外周側は、室外片部３１２、室内片部３１３は形成されておらず、見付け寸法（Ｘ軸方向の寸法）が上框３１の本体部３１１および室外片部３１２の寸法と同程度となる本体部が設けられている。さらに、縦框３４は、召合せ框であるため、煙返しなどの召合せ框に必要な構造や部品が設けられている。
【００１９】
換気装置５０は、図２〜４に示すように、換気装置本体６０と、室外側アタッチメント７０と、室内側アタッチメント８０と、カバー９０と、キャップ１００とを備える。
換気装置本体６０は、上框３１の長手方向（Ｘ軸方向）に沿って長尺とされた塩化ビニル樹脂（ＰＶＣ）等の合成樹脂製の押出形材である。換気装置本体６０は、図４に示すように、取付部６１と、面材保持部６２と、連結部６３とを備えて構成される。
取付部６１は、室外側中空部６１１と、室内側中空部６１２と、取付片６１３と、当接部６１４とを備えている。室外側中空部６１１は、上下に並んだ２つの中空部を備えて略角筒形状に構成され、室内側中空部６１２よりも上下方向（Ｙ軸方向）の寸法が大きくされている。
室内側中空部６１２は、室外側中空部６１１の室内側に設けられて略角筒形状に形成されている。図２に示すように、室内側中空部６１２の室内面の下端部は、上框３１の保持片３１４に当接されている。したがって、室内側中空部６１２の室内面によって、保持片３１４に当接する当接部６１４が構成されている。室内側中空部６１２の長手方向の端部には、図３にも示すように、キャップ１００の固定に用いられる裏板６１６が挿入されてネジ止めされている。
取付片６１３は、室外側中空部６１１から上方（上框３１側）に突設されて上框３１の凹溝３１５に嵌め込まれており、これにより換気装置５０は上框３１に取り付けられている。
【００２０】
面材保持部６２は、図４に示すように、室外側中空部６２１と、室内側中空部６２２と、室外側壁部６２３と、換気装置側保持片である保持片６２４と、換気装置側凹溝である凹溝６２５とを備えている。室外側中空部６２１は略角筒形状に形成され、その長手方向の端部には、図３にも示すように、キャップ１００の固定に用いられる裏板６２６が挿入されてネジ止めされている。
室内側中空部６２２は、扁平な略角筒形状に形成され、室外側中空部６２１の下面から室内側に連続して設けられている。
室外側壁部６２３は、室外側中空部６２１の下面の室外側端部から下方に延出され、その下端位置は室内側中空部６２２の下面と同じ位置とされている。
保持片６２４は、室内側中空部６２２の下面の室内側端部から下方に延出されている。凹溝６２５は、室外側壁部６２３および室内側中空部６２２間に形成されている。
換気装置本体６０の下面部の形状や寸法、具体的には、室外側壁部６２３、室内側中空部６２２、保持片６２４、凹溝６２５において下面（内周面）側に露出している部分の形状や寸法は、上框３１、下框３２、縦框３３、３４の内周面の露出部分と同じものとされている。このため、上框３１に取り付けられた換気装置５０は、下框３２、縦框３３、３４と同じ構造で複層ガラス３５を保持することができる。
【００２１】
連結部６３は、室外側中空部６１１および室外側中空部６２１の室内側端部間を連結する室内側連結片６３１と、室内側連結片６３１の室外側に平行に配置されて室外側中空部６１１および室外側中空部６２１の対向面間を連結する室外側連結片６３２とを備える。したがって、連結部６３は、室外側中空部６１１、室外側中空部６２１、室内側連結片６３１、室外側連結片６３２で囲まれる空間を備えている。
室内側連結片６３１、室外側連結片６３２には、図３，４に示すように、連結部６３の室外側および室内側を連通する通気孔６３３、６３４が、換気装置本体６０の長手方向（Ｘ軸方向）に沿って一定間隔で複数形成されている。さらに、室内側連結片６３１、室外側連結片６３２の一方の端部側には、後述する室外側連結部材７５や室内側連結部８４５が配置されるガイド穴６３５が形成されている。
【００２２】
図４に示すように、室外側中空部６１１の下面および室外側中空部６２１の上面には、
室外側アタッチメント７０が係合する突条部６１７、６２７が形成され、室内側中空部６１２の下面および室内側中空部６２２の上面には室内側アタッチメント８０が係合する突条部６１８、６２８が形成されている。
【００２３】
室外側アタッチメント７０は、アタッチメント本体７１および室外側作動板７２を備える。アタッチメント本体７１および室外側作動板７２は、それぞれ換気装置本体６０の長手方向（Ｘ軸方向）に沿って長尺とされたアルミニウム等の金属製の押出形材である。
アタッチメント本体７１は、連結部６３の室外側に配置されて突条部６１７、６２７に係合することで、室外側中空部６１１および室外側中空部６２１間の空間を塞ぐように取り付けられている。さらに、図３に示すように、室内側から換気装置本体６０を介してアタッチメント本体７１のブラケット７１１にねじ込まれたネジ７３によって取り付けられている。このネジ７３は、後述するように、カバー９０および室内側アタッチメント８０を取り外すことで、室内側に露出し、室内側から取り外すことができる。
アタッチメント本体７１には、図４に示すように、アタッチメント本体７１の室内外を連通する通気孔７１３が、換気装置本体６０の長手方向（Ｘ軸方向）に沿って一定間隔で複数形成されている。
【００２４】
室外側作動板７２は、アタッチメント本体７１の室内側に沿って配置され、アタッチメント本体７１の長手方向（Ｘ軸方向）に沿ってスライド移動可能に案内されている。室外側作動板７２には、アタッチメント本体７１と同様に、室外側作動板７２の室内外を連通する通気孔７２３が、図３に示すように、長手方向（Ｘ軸方向）に沿って一定間隔で複数形成されている。各通気孔７２３間の部分は、後述するように通気孔７１３を塞ぐことが可能な閉鎖壁７２４とされている。
室外側作動板７２の長手方向の端部近傍には、室外側連結部材７５が取り付けられている。この室外側連結部材７５は、換気装置本体６０のガイド穴６３５を介して室内側連結部８４５に接続される。室内側連結部８４５は後述する操作ツマミ８５に連結されており、操作ツマミ８５を換気装置５０の長手方向（Ｘ軸方向）に沿って左右にスライド移動させると、室内側連結部８４５および室外側連結部材７５を介して室外側作動板７２も左右に移動する。
操作ツマミ８５の開操作によって室外側作動板７２が前記長手方向に沿った第一方向に移動した場合には、アタッチメント本体７１の通気孔７１３と室外側作動板７２の通気孔７２３との位置が室内外方向に揃い、各通気孔７１３、７２３を通して通気が可能とされている。
一方、操作ツマミ８５の閉操作によって室外側作動板７２が前記第一方向とは逆方向の第二方向に移動した場合には、アタッチメント本体７１の通気孔７１３を室外側作動板７２の閉鎖壁７２４で塞ぎ、通気孔７１３を介した通気が遮断されるようにされている。
【００２５】
室内側アタッチメント８０は、図４に示すように、アタッチメント本体８１と、室内側作動板８２と、端部部材８３と、ガイド部材８４と、操作ツマミ８５（図３参照）とを備える。
アタッチメント本体８１は、換気装置本体６０の長手方向（Ｘ軸方向）に沿って長尺に形成されたアルミニウム等の金属製の押出形材である。アタッチメント本体８１は、連結部６３の室内側に配置されて突条部６１８、６２８に係合することで、室内側中空部６１２および室内側中空部６２２間の空間を塞ぐように取り付けられている。さらに、アタッチメント本体８１は、図３に示すように、カバー９０を取り外すことで室内側に露出するネジ８７によって、キャップ１００を介して換気装置本体６０に取り付けられている。
アタッチメント本体８１は、図４に示すように、軸支部８１１と、ベース部８１２と、軸支部８１１およびベース部８１２間を連結する連結壁部８１３とを備えている。軸支部８１１は、室内側作動板８２の上端部に設けられた軸部８２１を回動自在に軸支する。
ベース部８１２は、ガイド部材８４をスライド移動可能に案内する。
連結壁部８１３には、アタッチメント本体８１の室内外を連通する通気孔８１５が、室内側アタッチメント８０の長手方向（Ｘ軸方向）に沿って一定間隔で複数形成されている。連結壁部８１３の室内側には、図３，４に示すように、前記通気孔８１５を覆うように長尺のフィルター８１６が、面ファスナーなどを用いて着脱可能に貼られている。フィルター８１６は、換気装置５０を通る気流中の塵埃等を捕集するためのものであり、不織布、フェルト、綿などによってシート状に形成されている。
アタッチメント本体８１には、ツマミカバー８６が取り付けられている。ツマミカバー８６は、フィルター８１６の長手方向の端部に隣り合う位置に取り付けられている。
【００２６】
室内側作動板８２は、アルミニウムなどの金属製部材であり、図４に示すように、軸支部８１１に嵌合する断面円形状の軸部８２１が上縁に形成され、軸部８２１の軸心を中心として回動可能に構成されている。室内側作動板８２の下端部には、室内外方向にそれぞれ突片が突出されている。
室内側作動板８２の長手方向の端部には、前記突片に嵌合する合成樹脂製の端部部材８３が設けられている。端部部材８３の下面にはガイドピン８３１が突設され、ガイド部材８４に案内されている。
室内側作動板８２の室内面には、長手方向の両端部と、長手方向に沿った下端部とに気密材８２２が取り付けられている。
【００２７】
ガイド部材８４は、操作ツマミ８５が固定されている。操作ツマミ８５は、ツマミカバー８６で案内され、Ｘ軸方向に沿った第一方向および第二方向に移動可能に設けられている。
ガイド部材８４は、前記ガイドピン８３１を案内する案内溝８４１が形成されている。案内溝８４１は、Ｘ−Ｙ平面においてＸ軸およびＹ軸に対して斜めに形成され、操作ツマミ８５の操作でガイド部材８４がＸ軸方向に沿った第一方向（開操作方向）に移動した際に、ガイドピン８３１を室外側に案内し、第一方向とは逆方向である第二方向（閉操作方向）に移動した際に、ガイドピン８３１を室内側に案内する。
ガイド部材８４は、室外側連結部材７５に嵌合される室内側連結部８４５を備えている。室外側連結部材７５および室内側連結部８４５は、連結部６３に形成されたガイド穴６３５を介して嵌合され、室外側連結部材７５およびガイド部材８４は操作ツマミ８５によって一体に移動する。
【００２８】
操作ツマミ８５を閉操作方向に移動すると、室内側作動板８２は、下端部が室内側に移動するように回動し、気密材８２２が連結壁部８１３に密着する。通気孔８１５は、室内側作動板８２で閉じられ、通気も遮断され、室内側アタッチメント８０の通気孔８１５は閉鎖される。
この際、ガイド部材８４とともに室外側連結部材７５も第二方向（閉操作方向）に移動し、アタッチメント本体７１の通気孔７１３は室外側作動板７２の閉鎖壁７２４で塞がれ、室外側アタッチメント７０の通気孔７１３も閉鎖される。
【００２９】
操作ツマミ８５を開操作方向に移動すると、室内側作動板８２は、下端部が室外側に移動するように回動し、気密材８２２も連結壁部８１３から離れるため、室内側アタッチメント８０の通気孔８１５は開口され、通気が可能となる。
この際、ガイド部材８４とともに室外側連結部材７５も第一方向（開操作方向）に移動し、アタッチメント本体７１の通気孔７１３は室外側作動板７２の通気孔７２３と室内外方向に重なり、室外側アタッチメント７０の通気孔７１３も開口される。
【００３０】
カバー９０は、合成樹脂製とされ、図３，４に示すように、ツマミカバー８６が配置される開口９１と、フィルター８１６に対向する位置に設けられた複数のスリット９２とが形成されている。
カバー９０の室外面には、室内側アタッチメント８０に係合する爪部９３と、換気装置本体６０の保持片６２４の下端部に係合する爪部９４とを備える。このため、カバー９０は、室内側アタッチメント８０および換気装置本体６０にスナップイン方式で着脱可能に取り付けられ、これらの室内側露出面を被覆する。このため、カバー９０は、アタッチメント本体８１の室内面に取り付けられたフィルター８１６が室内側に露出しないように被覆するフィルターカバーとして機能する。さらに、換気装置本体６０や室内側アタッチメント８０と、カバー９０との対向面に面ファスナーを接着し、面ファスナーも併用してカバー９０を着脱可能としてもよい。
【００３１】
キャップ１００は、裏板６１６、６２６にねじ込まれるネジ１０１によって、換気装置本体６０、室外側アタッチメント７０、室内側アタッチメント８０の長手方向の端部に取り付けられ、端部開口を塞いでいる。
したがって、本実施形態では、換気装置５０の室内側および室外側間で空気を流通させる通気部６５は、室外側中空部６１１、室外側中空部６２１およびキャップ１００で区画される室外側空間と、室内側連結片６３１、室外側連結片６３２およびキャップ１００で区画される空間と、室内側中空部６１２、室内側中空部６２２およびキャップ１００で区画される室内側空間と、これらの各空間を連通する通気孔６３３、６３４とで構成される。そして、室外側アタッチメント７０は、通気部６５の室外側開口を開閉可能に構成され、室内側アタッチメント８０は、通気部６５の室内側開口を開閉可能に構成されている。
【００３２】
次に、換気装置５０が取り付けられる外障子３Ａ、内障子３Ｂの組立方法について、図５を参照して説明する。
予め障子枠３０および換気装置５０を組み立てておく。障子枠３０は、上框３１、下框３２、縦框３３、３４の小口同士を突き合わせて溶着して枠組みする。換気装置５０は、換気装置本体６０、室外側アタッチメント７０、室内側アタッチメント８０、カバー９０、キャップ１００を、ネジなどを用いて組み立てる。
次に、障子枠３０の縦框３３、３４間に換気装置５０を配置し、この換気装置５０を縦框３３、３４に沿って上方に移動する。そして、換気装置本体６０の取付片６１３を上框３１の凹溝３１５に嵌め込んで、換気装置５０を上框３１の下面に取り付ける。
次に、下框３２、縦框３３、３４、換気装置５０の保持片３１４、６２４に接着剤４５を塗布し（図２参照）、複層ガラス３５を保持片３１４、６２４に接着した後、押縁４０の取付片４１を下框３２、縦框３３、３４、換気装置５０の凹溝３１５、６２５に挿入する。これにより、複層ガラス３５は、各保持片３１４、６２４および押縁４０で保持される。以上により、外障子３Ａ、内障子３Ｂを組み立てることができる。
【００３３】
次に、換気装置５０のメンテナンス方法について説明する。
カバー９０を取り外すと、フィルター８１６が室内側に露出するため、フィルター８１６は容易に清掃できる。また、フィルター８１６は、面ファスナーなどで着脱可能であるため、フィルター８１６を外して洗浄したり、交換することも容易に行える。
さらに、室内側アタッチメント８０を固定しているネジ８７が室内側に露出するため、ネジ８７を外すことで、室内側アタッチメント８０を取り外すことができる。また、室内側アタッチメント８０を換気装置本体６０から取り外せば、室外側アタッチメント７０を固定しているネジ７３が室内側に露出するため、ネジ７３を外すことで室外側アタッチメント７０を取り外すことができる。
このため、室外側アタッチメント７０、室内側アタッチメント８０を、換気装置本体６０から取り外して、修理、交換することができる。したがって、室外側作動板７２や室内側作動板８２等の可動部品を有する室外側アタッチメント７０、室内側アタッチメント８０に破損などが生じても、新品に交換でき、メンテナンス作業を容易に行うことができる。
【００３４】
このような本実施形態によれば、次のような効果がある。
換気装置５０を上框３１の下面に取り付けているので、上框３１を含む障子枠３０は換気装置５０を設けない引違い窓１と同じ部品を用いることができる。このため、上框３１を専用の換気框で構成する場合に比べて、上框３１つまりは障子枠３０の見付け寸法を小さくできて、意匠性を向上でき、コストも低減できる。
また、上框３１において、通常は押縁４０が取り付けられる凹溝３１５を利用して換気装置５０を取り付けているので、上框３１に換気装置５０を取り付けるための新規な構造を設ける必要が無く、換気装置５０の取付構造を簡略化できる。
さらに、換気装置５０は、下框３２、縦框３３、３４と同じ構造の面材保持部６２を備えているので、保持片６２４および押縁４０を用いて複層ガラス３５を保持することができ、複層ガラス３５を保持するために部品を別途設ける必要が無いため、部品点数を少なくできる。
【００３５】
換気装置５０は、上框３１に取り付けられ、かつ、複層ガラス３５を保持する換気装置本体６０と、換気装置本体６０に着脱可能に取り付けられた室外側アタッチメント７０、室内側アタッチメント８０を備えている。このため、室外側アタッチメント７０や室内側アタッチメント８０を取り外すだけで、換気装置本体６０を上框３１や複層ガラス３５から取り外すことなく、換気装置５０内部のメンテナンスを行うことができる。特に、通気部６５を開閉する可動部品である室外側作動板７２や、室内側作動板８２は、室外側アタッチメント７０や室内側アタッチメント８０を取り外すことで、交換や修理などのメンテナンスを容易に行うことができる。
その上、室外側アタッチメント７０、室内側アタッチメント８０は、カバー９０や室内側アタッチメント８０を取り外すことで室内側に露出するネジ８７、７３で取り付けられているので、室内側からの簡単な作業で取り外すことができ、この点でもメンテナンス性を向上できる。
さらに、換気装置５０でメンテナンス頻度が高くなるフィルター８１６は、カバー９０を外すだけで清掃が可能であるため、定期的なメンテナンス作業もきわめて容易に行え、引違い窓１を利用しているユーザーが容易に清掃することができる。その上、フィルター８１６は、面ファスナーなどでアタッチメント本体８１から取り外すことができるので、容易に洗浄したり、交換することができる。
【００３６】
本実施形態の換気装置５０は外障子３Ａ、内障子３Ｂに設けられているので、換気装置が組み込まれていない障子を用いている引違い窓１であっても、障子３Ａ，３Ｂを換気装置５０付きの障子３Ａ，３Ｂに交換するだけで換気機能を追加することができる。このため、窓枠に換気装置を設ける場合に比べて、簡単なリフォーム作業で換気機能を有する引違い窓１とすることができる。したがって、引違い窓１を有する建物を、障子交換のみで第３種換気設備対応とすることができる。
【００３７】
換気装置５０は、樹脂製の換気装置本体６０を主要構成とし、室内外に連続する金属部品が無いため、断熱性能を向上できる。また、換気装置本体６０や室内側アタッチメント８０の室内面を樹脂製のカバー９０で覆っているので、断熱性能を向上でき、かつ、合成樹脂製の障子枠３０の内観と統一感のある内観意匠とすることができる。
さらに、換気装置本体６０の連結部６３を、室内側連結片６３１、室外側連結片６３２の２つの連結片で構成し、これらの連結片６３１、６３２間の空間を含んで換気装置５０の通気部６５を構成したので、特に、室外側アタッチメント７０、室内側アタッチメント８０が閉鎖されている場合に、通気部６５の断熱性能を向上できる。
【００３８】
換気装置本体６０は、取付部６１、面材保持部６２に複数の中空部を設け、さらに連結部６３は２つの連結片６３１、６３２で構成したので、強度を確保でき、見込み寸法（Ｚ軸方向の寸法）を上框３１と同じスリムな寸法とすることができる。
さらに、室外側作動板７２はＸ軸方向にスライドするため、室外側アタッチメント７０の見込み寸法を小さくできる。このため、換気装置本体６０において連結部６３の見込み方向の位置を室外側にずらして設けることができ、連結部６３から室内側の空間を広く形成できる。したがって、室内側アタッチメント８０の室内側作動板８２が室外側に回動する空間を確保しつつ、換気装置５０の見込み寸法を小さくすることができる。
【００３９】
次に、第２実施形態の引違い窓１Ａについて、図６，７を参照して説明する。
図６は、引違い窓１Ａの外観姿図であり、図７は引違い窓１Ａの上部を示す断面図である。なお、引違い窓１Ａにおいて、第１実施形態の引違い窓１と同じ構成には同一符号を付し、説明を省略する。
引違い窓１Ａは、換気装置５０Ａの室外側アタッチメント７０Ａを室内側に取り外すことができるように構成されている点が、第１実施形態と相違する。
換気装置５０Ａは、換気装置本体６０Ａと、室外側アタッチメント７０Ａと、室内側アタッチメント８０Ａと、カバー９０と、図示略のキャップとを備える。
換気装置本体６０Ａは、第１実施形態の換気装置本体６０と同様に、取付部６１と、面材保持部６２と、連結部６３とを備えている。取付部６１および面材保持部６２間には、通気部６５が形成されている。連結部６３の室外側連結片６３２は、取付部６１および面材保持部６２の室外面に連続して形成されている。この室外側連結片６３２には、図６に示すように、複数のスリット６３６が形成されている。
【００４０】
室外側連結片６３２の室内側には、室外側アタッチメント７０Ａが配置される。室外側アタッチメント７０Ａは、第１実施形態の室外側アタッチメント７０と同様に、通気孔７１３を有するアタッチメント本体７１と、通気孔７２３を有する室外側作動板７２とを備える。通気孔７１３は、スリット６３６に合わせて形成されている。すなわち、通気孔７１３は、スリット６３６と開口面積、サイズがほぼ同じであり、見込み方向に重なる位置に設けられ、通気部６５に連通している。この通気孔７１３は、第１実施形態と同じく、図示略の室外側連結部材、室内側連結部を介して操作ツマミに連結された室外側作動板７２を、換気装置５０の長手方向（Ｘ軸方向）に沿ってスライド移動させることで、開閉される。したがって、室外側アタッチメント７０Ａは、通気部６５の室外側開口を開閉する。
ここで、第１実施形態の室外側アタッチメント７０は、換気装置本体６０に対して室外側に取り外し可能に取り付けられている。一方、第２実施形態の室外側アタッチメント７０Ａは、換気装置本体６０Ａに対して、室内側に取り外し可能に取り付けられている。
【００４１】
室内側アタッチメント８０Ａは、第１実施形態の室内側アタッチメント８０と同様に、通気部６５に連通可能な通気孔８１５が形成されたアタッチメント本体８１と、アタッチメント本体８１に対して回動自在に取り付けられた室内側作動板８２と、図示略の端部部材、ガイド部材、操作ツマミとを備えている。室内側作動板８２は、操作ツマミの開閉操作によって、下端部が室外側および室内側に移動し、アタッチメント本体８１の通気孔８１５を開閉できる。したがって、室内側アタッチメント８０Ａは、通気部６５の室内側開口を開閉する。
室内側アタッチメント８０Ａは、第１実施形態の室内側アタッチメント８０と同じく、換気装置本体６０に対して室内側に取り外し可能に取り付けられている。
【００４２】
このような第２実施形態によれば、前記第１実施形態と同様の効果を奏することができる。さらに、室内側アタッチメント８０Ａに加えて室外側アタッチメント７０Ａも室内側に取り外すことができるので、作業者は、各アタッチメント７０Ａ，８０Ａを取り外してメンテナンスする場合に、引違い窓１Ａの室外側に移動して作業する必要が無く、換気装置５０Ａ内部のメンテナンスを容易に行うことができる。
また、室外側アタッチメント７０Ａが室外面に露出しないため、換気装置５０Ａの外観意匠を向上できる。すなわち、換気装置５０Ａにおいて、室外側に露出するのは、換気装置本体６０Ａであり、室外側アタッチメント７０Ａは室外側連結片６３２で覆われているので、図６に示すようにスリット６３６が形成された換気装置本体６０Ａのみが室外側に露出する。したがって、換気装置本体６０Ａおよび室外側アタッチメント７０Ａが室外側に露出する場合と比較して、換気装置５０Ａの外観意匠を向上できる。
【００４３】
本発明は、以上の実施形態で説明した構成のものに限定されず、本発明の目的を達成できる範囲での変形例は、本発明に含まれる。
換気装置５０、５０Ａは、引違い窓１、１Ａの障子３Ａ，３Ｂに組み込まれるものに限定されず、図８に示す縦すべり出し窓４の障子４００に組み込むこともでき、さらに、すべり出し窓や、上げ下げ窓等の各種障子に組み込むことができる。この際、各框の保持片３１４や、押縁取付用の凹溝３１５を用いて換気装置５０、５０Ａを組み込むため、同じ複層ガラス３５を保持するために、保持片３１４および凹溝３１５間の見込み寸法が同じ障子であれば、同一種類の換気装置５０、５０Ａを各種障子に組み込むことができ、換気装置５０、５０Ａの種類も少なくできる。
また、換気装置５０、５０Ａは、上框３１の下面に取り付けられるものに限定されず、下框３２の上面や、縦框３３、３４の内周面に取り付けることもできる。換気装置５０、５０Ａは、ＦＩＸ窓の窓枠に取り付けることもできる。
さらに、換気装置５０、５０Ａは、必要に応じて、１つの障子やＦＩＸ窓の窓枠において、複数のフレーム材に取り付けることができる。例えば、障子において、上框３１および下框３２にそれぞれ換気装置５０、５０Ａを取り付けてもよく、建具枠の少なくとも一つのフレーム材に換気装置５０、５０Ａを取り付ければ良い。
【００４４】
換気装置５０、５０Ａは、前記実施形態の構成に限定されない。例えば、換気装置本体６０、６０Ａを、取付部６１と、面材保持部６２との２部材で構成し、これらの部材を、キャップ１００や、室外側アタッチメント７０、７０Ａ、室内側アタッチメント８０、８０Ａを用いて連結する構成としてもよい。この場合、分離された取付部６１および面材保持部６２間の空間で通気部６５が構成される。
室内側アタッチメント８０、８０Ａの構成は、前記実施形態のものに限定されず、例えば、室内側作動板８２がスライド移動するものでもよく、通気部６５の室内側開口を開閉できるものであればよい。
【００４５】
換気装置本体６０、６０Ａの連結部６３は、１つの連結片のみで構成されるものでもよいし、３本以上の連結片を備えて構成されるものでもよい。
換気装置５０、５０Ａを上框３１等に取り付ける構造としては、前記実施形態に限定されず、ネジ、リベット等の締結具や接着剤等を用いて取り付けてもよい。
カバー９０は前記実施形態の構成に限定されず、例えば、室内側アタッチメント８０、８０Ａのみをカバーする構成としてもよい。さらに、換気装置５０、５０Ａの配置箇所が利用者から視認されにくい場所である場合には、カバー９０を設けなくても良い。
本発明は、框や枠を樹脂フレームで構成した建具に限定されず、框や枠をアルミ形材などの超音波などによる溶着が可能な金属フレームで構成した建具にも適用できる。
【符号の説明】
【００４６】
１、１Ａ…引違い窓、３Ａ…外障子、３Ｂ…内障子、３０…建具枠である障子枠、３１…フレーム材である上框、３２…フレーム材である下框、３３、３４…フレーム材である縦框、３５…面材である複層ガラス、４０…押縁、５０、５０Ａ…換気装置、６０、６０Ａ…換気装置本体、６１…取付部、６２…面材保持部、６３…連結部、６５…通気部、７０、７０Ａ…室外側アタッチメント、７１…アタッチメント本体、７２…室外側作動板、７３…ネジ、７５…室外側連結部材、８０、８０Ａ…室内側アタッチメント、８１…アタッチメント本体、８２…室内側作動板、８３…端部部材、８４…ガイド部材、８５…操作ツマミ、８６…ツマミカバー、８７…ネジ、９０…カバー、１００…キャップ、３００…障子、３１４…保持片、３１５…凹溝、６１３…取付片、６１４…当接部、６２４…換気装置側保持片である保持片、６２５…換気装置側凹溝である凹溝、６３１…室内側連結片、６３２…室外側連結片、６３３、６３４…通気孔、７１３、７２３…通気孔、８１５…通気孔、８１６…フィルター、８４５…室内側連結部。
【図１】
2019073963.tif 000003
【図２】
2019073963.tif 000004
【図３】
2019073963.tif 000005
【図４】
2019073963.tif 000006
【図５】
2019073963.tif 000007
【図６】
2019073963.tif 000008
【図７】
2019073963.tif 000009
【図８】
2019073963.tif 000010